(57)【要約】    【課題】  りんご等の果樹栽培において、葉摘みをすることなしに、果実を偏りなく着色促進させることのできる果実着色促進方法を提供すること。    【解決手段】  果実１の軸部２付近にあって該果実１への光の照射Ｌを遮り得る複数の葉８について、それら葉８の葉柄部９を、結束用資材４を用いて結束することによって、該葉８による該果実１に対する遮光を減少させ得る状態とすることを、果実着色促進方法の基本構成とする。さらに該果実１と枝３の間に実回しにより形成した姿勢を維持するための柔軟性資材６を挟み込む。【選択図】    図３
2005087079.tif 000002
【特許請求の範囲】
【請求項１】
果樹栽培における果実着色促進方法であって、果実の軸部付近にあって該果実への光照射を遮り得る複数の葉について、それらの葉柄部を結束用資材を用いて結束することによって、該葉による該果実に対する遮光を減少させ得る状態とすることを特徴とする、果実着色促進方法。
【請求項２】
前記結束用資材は、片面が粘着性を有する帯状の構成であり、該粘着性を有する面を内側にして前記複数の葉を巻いて結束する、粘着性資材であることを特徴とする、請求項１に記載の果実着色促進方法。
【請求項３】
前記結束用資材は、前記粘着性を有する面の反対面が、枝等と接触した場合であってもそれによる該枝等の損傷を防止または軽減できるよう柔軟な材質により形成されていることを特徴とする、請求項２に記載の果実着色促進方法。
【請求項４】
果樹栽培における果実着色促進方法であって、果実の軸部付近にあって該果実への光照射を遮り得る複数の葉について、それらの葉柄部を結束用資材を用いて結束することによって、該葉による該果実に対する遮光を減少させるとともに、該果実とその近傍の枝との間に、該果実との接触によってもそれによる損傷を防止または軽減できるような柔軟な材質をもって形成されている柔軟性資材を一または複数個挟み込んで固定することを特徴とする、果実着色促進方法。
【請求項５】
前記結束用資材は、片面が粘着性を有する帯状の構成であり、前記柔軟性資材は、略直方体形状であって前記枝の表面に接しさせるための面は粘着性を有するものであることを特徴とする、請求項４に記載の果実着色促進方法。
【請求項６】
片面が粘着性で帯状に構成された粘着性資材の使用であって、果樹栽培において果実の軸部付近にあって該果実への光照射を遮り得る複数の葉について、それらの葉柄部を結束することによって、該葉による該果実に対する遮光を減少させることのできる、粘着性資材の使用。
【請求項７】
請求項６に記載の粘着性資材の使用に用いることのできる粘着性資材であって、該粘着性資材は前記結束に充分なサイズのシール状体が一部ずつ剥がしやすい状態で台紙状シート体に複数設けられていることを特徴とする、粘着性資材。
【請求項８】
請求項４または５に記載の果実着色促進方法に用いることのできる、葉柄部結束用資材および果実離間用資材を備えてなる果実着色促進用資材セットであって、
（８−１）該葉柄部結束用資材は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、
（８−２）該果実離間用資材は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個挟み込んで固定することによって、該果実が該枝に擦れて損傷することを防止または軽減できるものであり、
（８−３）該葉柄部結束用資材および該果実離間用資材は、それぞれが一部ずつ剥がしやすい状態で複数個、それぞれの台紙状シート体に設けられて、それぞれ葉柄部結束用資材シート、果実離間用資材シートを形成しており、
（８−４）両シートが、作業者がこれを同時に保持しつつ果実着色促進用の作業をなし得るよう一体に結合されてなる、
ことを特徴とする、果実着色促進用資材セット。
【請求項９】
請求項４または５に記載の果実着色促進方法に用いることのできる、葉柄部結束用資材および果実離間用資材を備えてなる果実着色促進用資材セットであって、
（９−１）該葉柄部結束用資材は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、
（９−２）該果実離間用資材は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個挟み込んで固定することによって、該果実が該枝に擦れて損傷することを防止または軽減できるものであり、
（９−３）該葉柄部結束用資材および該果実離間用資材は、それぞれが一部ずつ剥がしやすい状態で複数個、一枚の前記台紙状シート体上に設けられてなる、
ことを特徴とする、果実着色促進用資材セット。
【発明の詳細な説明】
【技術分野】
【０００１】
この発明は、果実着色促進方法、粘着性資材の使用、粘着性資材および果実着色促進用資材セットに係り、特にりんご等の果樹栽培において、葉摘みをすることなしに、果実を偏りなく着色促進させることのできる、果実着色促進方法、粘着性資材の使用、粘着性資材および果実着色促進用資材セットに関する。
【背景技術】
【０００２】
りんご等の果樹栽培においては、果実に日光の照射を受けることによりその着色が促進するとともに、糖度の増加、果肉のしまりによる硬度の上昇、それによる棚持ち性、貯蔵性の向上、特有の香味と食感の発現がなされる。特に、香味等に勝るとも劣らず商品価値に寄与する着色度合いは重要であり、りんごを例にとれば、その果実全体における偏りのない着色が、商品価値を高めるために要求される。しかし、果実の近傍に存在する葉のため、自然生育に任せると、それらの葉の陰となって日光の照射程度が不良な部分、つまり日陰部分が生じる。日陰部分は良好な着色促進が得られず、その結果、果実には着色の良い部分と良くない部分とが生じることとなり、商品価値が下がってしまう。これを防ぐために、従来からホルモン剤や農薬の使用もなされているが、特に葉摘みといわれる作業が慣行的に行われている。
【０００３】
葉摘みは、果実の軸部付近に存在する葉やその近傍の葉を除去することにより、果実の日陰部分発生を防止する作業である。葉摘みは手作業により行われ、近傍の葉が除去された果実には日光が満遍なく照射され、それによる偏りのない果実の着色促進を図っている。また、より均一な着色を得るために、完全に着色が得られた部分が比較的日陰部分となる方向に向くように果実をねじる、実回しと呼ばれる作業も、従来から行われている。これは、日光照射をよく受ける表面だけが良好に着色した果実は、たとえばりんごの場合、満遍なく良好に着色したものと比べて、商品価値が半分以下となってしまうため、かかる不均一な着色をさけるための作業である。
【０００４】
ところで、かかる慣行栽培における葉摘みや実回しとは別に、りんご等の果樹栽培における果実の着色を促進する方法が種々提案されている。たとえば特開昭５８−８３２５５号公報「果実熟成促進用具」や実開昭５９−１５６４５２号公報「果実の色付け用反射器」では、果実のどの部分にも反射光を照射し得る用具について、実開昭５９−２３９４０号公報「果樹用光反射装置」では下張りするシート状の構成を、それぞれ提案している。また、実開平６−７２３４９号公報「果樹の葉取り装置」では、葉摘み用の装置を提案している。
【０００５】
【特許文献１】特開昭５８−８３２５５号公報「果実熟成促進用具」。
【特許文献２】実開昭５９−１５６４５２号公報「果実の色付け用反射器」。
【特許文献３】実開昭５９−２３９４０号公報「果樹用光反射装置」。
【特許文献４】実開平６−７２３４９号公報「果樹の葉取り装置」。
【発明の開示】
【発明が解決しようとする課題】
【０００６】
しかしながら、これら特許文献１〜４に開示された提案は、いずれも特別の用具や装置をもって、果実の着色促進を図ろうとするものであり、その分相応の経費や準備作業の労が必要となるものである。また特許文献４に示された提案は、結局葉摘みの労力を軽減し得る構成を提案するものであるが、そもそも着色促進のために行う葉摘みそのものが植物体に及ぼす影響を考慮する必要がある。すなわち、植物体の自然な状態といえる葉が付いている状態から、葉を除去することは、生理上、負荷を植物体に与えることになる。特に、翌年の花芽形成に悪影響を及ぼすことが懸念される。なおその点は、ホルモン剤や農薬の使用においても問題となる。したがって、葉摘みをせずに果実の着色促進を図ることができれば、しかもそれを、特別の用具や装置を使用せず、より簡易な方法で行うことができれば、作業も容易であり、果樹栽培の経営上も導入しやすく好ましい。
【０００７】
また、上述した実回しは商品価値低下を防ぐために有意義な作業であるが、単に果実をねじって日陰部分を日向側に向けても、果実の約７０％はその姿勢を長く維持できずに、再び元の位置に戻ってしまう。したがって、着色状況を見ながら、当該作業を繰り返し行うことともなり、作業としては繁雑である。
【０００８】
したがって本発明の課題は、かかる従来技術の問題点を踏まえ、りんご等の果樹栽培において、手作業であるか機械作業であるかに関わらず、葉摘みをすることなしに、また、ホルモン剤や農薬を使用することなしに、きわめて簡易かつ安価な方法により、慣行の葉摘みを用いた栽培同様以上に、果実を偏りなく着色促進させることのできる、果実着色促進方法、粘着性資材の使用、粘着性資材および果実着色促進用資材セットを提供することである。
【０００９】
さらに本発明の課題は、かかる果実着色促進方法、粘着性資材の使用、粘着性資材および果実着色促進用資材セットによる着色促進効果を補助するために、従来行われてきた実回しを、作業の煩雑さを排し、かつより効果的に行うための方法を提供することである。
【課題を解決するための手段】
【００１０】
本願発明者は上記課題を解決するために鋭意検討し、本発明に至った。すなわち、本願において特許請求される発明は、以下のとおりである。
（１）  果樹栽培における果実着色促進方法であって、果実の軸部付近にあって該果実への光照射を遮り得る複数の葉について、それらの葉柄部を結束用資材を用いて結束することによって、該葉による該果実に対する遮光を減少させ得る状態とすることを特徴とする、果実着色促進方法。
（２）  前記結束用資材は、片面が粘着性を有する帯状の構成であり、該粘着性を有する面を内側にして前記複数の葉を巻いて結束する、粘着性資材であることを特徴とする、（１）に記載の果実着色促進方法。
（３）  前記結束用資材は、前記粘着性を有する面の反対面が、枝等と接触した場合であってもそれによる該枝等の損傷を防止または軽減できるよう柔軟な材質により形成されていることを特徴とする、（２）に記載の果実着色促進方法。
（４）  果樹栽培における果実着色促進方法であって、果実の軸部付近にあって該果実への光照射を遮り得る複数の葉について、それらの葉柄部を結束用資材を用いて結束することによって、該葉による該果実に対する遮光を減少させるとともに、該果実とその近傍の枝との間に、該果実との接触によってもそれによる損傷を防止または軽減できるような柔軟な材質をもって形成されている柔軟性資材を一または複数個挟み込んで固定することを特徴とする、果実着色促進方法。
（５）  前記結束用資材は、片面が粘着性を有する帯状の構成であり、前記柔軟性資材は、略直方体形状であって前記枝の表面に接しさせるための面は粘着性を有するものであることを特徴とする、（４）に記載の果実着色促進方法。
【００１１】
（６）  片面が粘着性で帯状に構成された粘着性資材の使用であって、果樹栽培において果実の軸部付近にあって該果実への光照射を遮り得る複数の葉について、それらの葉柄部を結束することによって、該葉による該果実に対する遮光を減少させることのできる、粘着性資材の使用。
（７）  請求項６に記載の粘着性資材の使用に用いることのできる粘着性資材であって、該粘着性資材は前記結束に充分なサイズのシール状体が一部ずつ剥がしやすい状態で台紙状シート体に複数設けられていることを特徴とする、粘着性資材。
【００１２】
（８）  請求項４または５に記載の果実着色促進方法に用いることのできる、葉柄部結束用資材および果実離間用資材を備えてなる果実着色促進用資材セットであって、
（８−１）該葉柄部結束用資材は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、
（８−２）該果実離間用資材は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個挟み込んで固定することによって、該果実が該枝に擦れて損傷することを防止または軽減できるものであり、
（８−３）該葉柄部結束用資材および該果実離間用資材は、それぞれが一部ずつ剥がしやすい状態で複数個、それぞれの台紙状シート体に設けられて、それぞれ葉柄部結束用資材シート、果実離間用資材シートを形成しており、
（８−４）両シートが、作業者がこれを同時に保持しつつ果実着色促進用の作業をなし得るよう一体に結合されてなる、
ことを特徴とする、果実着色促進用資材セット。
（９）  請求項４または５に記載の果実着色促進方法に用いることのできる、葉柄部結束用資材および果実離間用資材を備えてなる果実着色促進用資材セットであって、
（９−１）該葉柄部結束用資材は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、
（９−２）該果実離間用資材は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個挟み込んで固定することによって、該果実が該枝に擦れて損傷することを防止または軽減できるものであり、
（９−３）該葉柄部結束用資材および該果実離間用資材は、それぞれが一部ずつ剥がしやすい状態で複数個、一枚の前記台紙状シート体上に設けられてなる、
ことを特徴とする、果実着色促進用資材セット。
【発明の効果】
【００１３】
本発明の果実着色促進方法、粘着性資材の使用、粘着性資材および果実着色促進用資材セットはこのように構成されるため、これを用いることにより果実への採光が良好となり、また均一な日光照射が可能となり、手作業であるか機械作業であるかに関わらず、葉摘みをすることなしに、ホルモン剤や農薬を使用することなしに、きわめて簡易かつ安価な方法によって、慣行の葉摘みを用いた栽培同様以上に、果実を偏りなく着色促進させることができる。
【００１４】
本発明によれば、葉摘みをせずにりんご等の果実の着色促進を行うことができるため、たとえばりんごの場合であれば、下記各効果を得ることができる。
（ａ）果実の糖度を２〜３°増加させることができるため、商品としての付加価値を高めることができる。
（ｂ）果肉がしまり、硬度が高くなり、棚持ち、貯蔵性が高まる。つまり保存性がよくなり、冷蔵による長期出荷体系を拡大することができる。
（ｃ）より自然な生育状態を維持したまま着色し、収穫されるため、果実特有の香りや食感が損なわれず、商品としての付加価値を高めることができる。
（ｄ）人工的な葉摘みによって植物体に与えるストレスを排除できるため、植物体として生理上より望ましい状態が得られ、翌年の花芽形成、ひいては栽培管理、収穫にも好影響を及ぼす。
【００１５】
さらに本発明によれば、従来行われてきた実回し作業の煩雑さを解消することができ、かつ実回しによる着色の均一化をより効果的に実現することができ、商品価値の低下を防ぐことができる。
【発明を実施するための最良の形態】
【００１６】
本発明について図を用いてさらに詳細に説明する。
図１（Ａ）〜（Ｃ）は、本発明の果実着色促進方法の構成を示す説明図である。図において本発明の果樹栽培における果実着色促進方法は、果実１の軸部２付近にあって該果実１への光の照射Ｌを遮り得る複数の葉８について（図１（Ａ））、それら葉８の葉柄部９を、結束用資材４を用いて結束する（図１（Ｂ））ことによって、該葉８による該果実１に対する遮光を減少させ得る状態（図１（Ｃ））とすることを、基本構成とする。
【００１７】
図において本果実着色促進方法はかかる構成をとるため、果実１の軸部２付近にあって該果実１への光の照射Ｌを遮り得る複数の葉８は、それら葉８の葉柄部９が結束用資材４によって結束され、該葉８による該果実１に対する遮光を減少させ得る状態とさせられる。図１（Ａ）の状態と（Ｂ）または（Ｃ）の状態を比較すれば明らかなとおり、該結束用資材４によって該果実１上方に該葉８が束ねられて、該果実１上方には、光照射Ｌが該果実１により多く広く到達するための空間が広げられ、すなわち遮光状態が解消されるため、該果実１にはより多く光照射がなされ、その着色が促進される。
【００１８】
該葉柄部９の結束に用いる結束用資材４としては、少なくとも果実の着色促進を図るべき時期から着色が充分に得られる時期に至る間の継続的な結束の維持が可能なものであれば、あらゆる資材を用いることができる。たとえば、片面が粘着性を有するテープ状のものや帯状のもの、塑性を有する金属線を樹脂等により被覆した資材などを、好適に用いることができる。特に、片面が粘着性を有する帯状のものは、本発明用途に充分な結束性と取り扱いの容易さを有し、本発明方法の使用に特に適している。
【００１９】
前記結束用資材４によって前記葉柄部９を結束する際の位置は、該結束用資材４によって該葉柄部９を緊縛する際の該結束用資材４にかかる負荷ができるだけ少なく、かつ結束作業を行いやすい位置とすることが望ましい。したがって、どちらかというと該葉柄部９の軸部２寄りではなく、むしろ葉８に近い側を結束位置とすれば、より容易に結束を行えるといえる。しかし、本発明がかかる結束位置の如何によって限定されるものではない。
【００２０】
前記結束用資材４をりんご等の果樹に用いる場合、その長さはおおむね３〜１０ｃｍとすることができるが、望ましくは４〜８ｃｍとすることができる。この程度の長さによって、本発明による葉柄部９の結束を好適に行うことが充分にできる。より望ましくは５〜７ｃｍとすることができ、この程度の長さによって、本発明による葉柄部９の結束をさらに好適に行うことができる。なおこの点は、以下に述べる各結束用資材の構成においても同様である。
【００２１】
図２は、本発明の果実着色促進方法に用いることのできる結束用資材の例について、その構成を示す断面図である。図の（Ａ）において前記結束用資材４Ａは、片面が粘着性を有する帯状の構成であり、すなわち片面側に粘着材部４３が設けられてあり、該粘着材部４３を内側にして前記複数の葉８の葉柄部９を巻いてこれを結束することのできる構成である。かかる結束用資材４Ａを用いて、図１により先に説明した果実着色促進方法を実施することができる。つまり、本結束用資材４Ａの該粘着材部４３を内側にして、複数の葉８の葉柄部９を束ねてその上から該結束用資材４Ａを巻いて、該粘着材部４３を該結束用資材４Ａ自身の表側に貼り付けて接着固定し、該葉柄部９を結束する。
【００２２】
図の（Ｂ）において結束用資材４Ｂは、前記粘着性を有する面（粘着材部４３が設けられている）の反対面が、枝等と接触した場合であってもそれによる該枝等の損傷を防止または軽減できるよう柔軟な材質により形成されている、すなわち柔軟材部４６が該粘着材部４３の反対側に設けられている構成である。かかる結束用資材４Ｂを用いて、図１により先に説明した果実着色促進方法を実施することができる。つまり、本結束用資材４Ｂの該粘着材部４３を内側にして、複数の葉８の葉柄部９を束ねてその上から該結束用資材４Ｂを巻いて、該粘着材部４３を該結束用資材４Ａ自身の表側である該柔軟材部４６に貼り付けて接着固定し、該葉柄部９を結束する。該柔軟材部４６が結束に用いられた該結束用資材４Ｂの表側にあるため、本結束用資材４Ｂが枝等と接触した場合であっても、それによる該枝等の損傷は防止されるか、または軽減される。なお、図の（Ａ）において、前記結束用資材４Ａの表側部４１を、（Ｂ）の柔軟材部４６と同様の機能を有する材料により構成することもできる。柔軟材部の材料としては、たとえばスポンジなど弾力性のある部材、各種素材による布などの柔軟な部材を、適宜用いることができる。
【００２３】
図３は、本発明の果実着色促進方法について、別の構成を付加した例を説明する説明図である。図において、果樹栽培における本発明果実着色促進方法は、果実１の軸部２付近にあって該果実１への光照射Ｌを遮り得る複数の葉８について、それらの葉柄部９を結束用資材１４を用いて結束することによって、該葉８による該果実１に対する遮光を減少させるとともに、該果実１とその近傍の枝３との間に、該果実１との接触によってもそれによる損傷を防止または軽減できるような柔軟な材質をもって形成されている柔軟性資材６を、一または複数個（通常は一個で足りる。図では一個。）挟み込んで固定することを特徴とする。
【００２４】
図において示されるように、本方法はかかる構成をとることによって、先に図１を用いて説明した作用に加え、該果実１と該枝３の間に挟み込まれた柔軟性資材６によって、先に述べた実回しの際に、均一な着色促進のためにねじり回した果実１の姿勢を固定し、これがねじられる前の姿勢に戻ることが防がれ、それにより該果実１の日陰部分の着色促進が良好になされ、着色の均一化が図られる。該柔軟性資材６の挟み込みにより姿勢が固定された果実１は容易には戻らないので、実回し作業を繰り返す煩雑さを解消することができる。また、これに加え、該果実１が該枝３に擦れて損傷することが防止される、または軽減される。
【００２５】
図３において前記結束用資材１４は、片面が粘着性を有する帯状の構成とし、前記柔軟性資材６は、略直方体形状であって、前記枝３の表面に接しさせるための面は粘着性を有するように構成することができる。該柔軟性資材６としては、前記果実１を損傷することのないような柔軟な表面を有する材質であるとともに、果実１と枝３との間に生じるねじれからの復元力によって上記姿勢の維持が不可能となるような塑性変形、弾性変形を起こさない材質のものであれば、特に限定されず適宜用いることができる。たとえば発泡スチロール等の発泡性材料を用いることができる。スポンジのような材料でも、上記条件を満たせば用いることができる。
【００２６】
以上の説明および図２ならびに図１において示したように、片面が粘着性で帯状に構成された粘着性資材４Ａ、４Ｂを使用することにより、果樹栽培において果実１の軸部２付近にあって該果実１への光照射Ｌを遮り得る複数の葉８の葉柄部９を結束して、該葉８による該果実１に対する遮光を減少させることができ、これにより果実の着色促進を、従来の葉摘み作業をすることなしに、それと同等以上の効果をもって行うことができる。
【００２７】
図４は、本発明の粘着性資材の構成例を示す平面図である。図において本資材２４は、これまで説明した葉柄部の結束に用いることのできる粘着性資材２４であって、該粘着性資材２４は該結束に充分なサイズのシール状体２４１が、一部ずつ剥がしやすい状態で台紙状シート体２４２に複数設けられている構成をとる。図の例では、複数の該シール状体２４１は長手方向に二段に形成されているが、これ以外の適宜の配列をとれることはいうまでもない。該台紙状シート体２４２としては、該シール状体２４１を剥離しやすいような材質のものを用いることが望ましい。結束に際しては、該シール状体２４１となっている粘着性資材を該台紙状シート体２４２から一部ずつ剥がし取って、前記葉柄部の結束に供する。
【００２８】
図５は、本発明の果実着色促進用資材セットを構成する果実離間用資材を斜視図および平面図により説明した説明図である。本図と図４を用いて、発明を説明する。これらの図において本果実着色促進用資材セットは、先に説明した果実着色促進方法に用いることのできる、葉柄部結束用資材２４１および果実離間用資材２６１を備えてなる果実着色促進用資材セットである。図４において示されるように、該葉柄部結束用資材２４１は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものである。一方、図５に示されるように該果実離間用資材２６１は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個（通常は一個で足りる。）挟み込んで固定することによって、該果実が該枝に擦れて損傷することを防止または軽減できるものである。
【００２９】
前記果実離間用資材２６１は、その形状をたとえば、一辺が約２ｃｍの立方体とすることができる。また材質としてはたとえば、発泡スチロールなどの発泡性材料を適宜用いることができる。
【００３０】
図４に示した該葉柄部結束用資材２４１、および図５に示した該果実離間用資材２６１は、それぞれが一部ずつ剥がしやすい状態で複数個、それぞれの台紙状シート体２４２、２６２に設けられていて、それぞれ葉柄部結束用資材シート（２４）、果実離間用資材シート２６を形成する。そしてこれら両シート２４、２６は、作業者がこれを同時に保持しつつ果実着色促進用の作業をなし得るよう一体に結合されてなることを、本発明果実着色促進用資材セットは主たる構成とする。かかる構成により、本果実着色促進用資材セットを用いれば、上述した葉の葉柄部の結束による果実の着色促進のための葉柄部結束作業と、実回しにおける果実の姿勢の固定作業を同時に、かつ容易に行うことができる。
【００３１】
両シート２４、２６を一体に結合させる方法は、これらシートの一辺同士が綴じられる形状としたり、あるいは一角同士が綴じられる状態としたり、適宜の公知の方法を選択して行うことができる。
【００３２】
図６は、本発明の別の果実着色促進用資材セットの構成例を示す断面図である。図において本果実着色促進用資材セット５は、葉柄部結束用資材５４および果実離間用資材５６をそれぞれ複数個備えてなり、該葉柄部結束用資材５４は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、一方、該果実離間用資材５６は、該果実とその近傍の枝との間に、該果実との接触によってもそれによる損傷を防止または軽減できるような柔軟な材質をもって略直方体形状または略立方体形状に形成されており、該枝の表面に接しさせるための面は粘着性を有するものとし、これを一または複数個挟み込んで固定することによって、該果実が該枝に擦れて損傷することを防止または軽減できるものであり、これら該葉柄部結束用資材５４および該果実離間用資材５６は、それぞれが一部ずつ剥がしやすい状態で複数個、一枚の前記台紙状シート体５１上に設けられてなることを、主たる構成とする。
【００３３】
つまり、一枚の台紙状シート体５１の裏表にそれぞれ該葉柄部結束用資材５４および該果実離間用資材５６が設けられた構成である。かかる構成により、本果実着色促進用資材セットを用いれば、単一の台紙の表裏に各資材５４、５６が設けられているため取り扱いしやすく、上述した葉の葉柄部の結束による果実の着色促進のための葉柄部結束作業と、実回しにおける果実の姿勢の固定作業を同時に、かつ一層容易に行うことができる。
【００３４】
図では、一枚の台紙状シート体５１の表裏に各資材５４、５６が設けられる構成例を示したが、この他、一枚の台紙状シート体５１の同一面に各資材５４、５６がともに設けられる構成とすることもできる。
【産業上の利用可能性】
【００３５】
本発明の果実着色促進方法、粘着性資材の使用、粘着性資材および果実着色促進用資材セットは上述のように構成されるため、これを用いることにより果実への採光が良好となり、また均一な日光照射が可能となり、手作業であるか機械作業であるかに関わらず、葉摘みをすることなしに、ホルモン剤や農薬を使用することなしに、きわめて簡易かつ安価な方法によって、慣行の葉摘みを用いた栽培同様以上に、果実を偏りなく着色促進させ、商品価値を高めることができる上、翌年の栽培にも好影響を与えることができる。
【００３６】
また本発明によれば、従来行われてきた実回し作業の煩雑さを解消することができ、かつ実回しによる着色の均一化をより効果的に実現することができ、商品価値を高めることができる。したがって本発明は、産業上の利用性を大いに有する発明である。
【図面の簡単な説明】
【００３７】
【図１（Ａ）】本発明の果実着色促進方法の構成を示す説明図である。
【図１（Ｂ）】本発明の果実着色促進方法の構成を示す説明図である。
【図１（Ｃ）】本発明の果実着色促進方法の構成を示す説明図である。
【図２】本発明の果実着色促進方法に用いることのできる結束用資材の例について、その構成を示す断面図である。
【図３】本発明の果実着色促進方法について、別の構成を付加した例を説明する説明図である。
【図４】本発明の粘着性資材の構成例を示す平面図である。
【図５】本発明の果実着色促進用資材セットを構成する果実離間用資材を斜視図および平面図により説明した説明図である。
【図６】本発明の別の果実着色促進用資材セット構成例を示す断面図である。
【符号の説明】
【００３８】
１…果実、  ２…軸部、  ３…枝、  ４、４Ａ、４Ｂ、１４…結束用資材、  
４１…表側部、  ４３…粘着材部、  ４６…柔軟材部、  ５…果実着色促進用資材セット、  ５１…台紙状シート体、  ５４…葉柄部結束用資材、  ５６…果実離間用資材、  ６…柔軟性資材、  ８…葉、  ９…葉柄部、  ２４…粘着性資材（葉柄部結束用資材シート）、  ２４１…シール状体、  ２４２…台紙状シート体、  ２６…果実離間用資材シート、  ２６１…果実離間用資材、  ２６２…台紙状シート体、  Ｌ…光の照射
【図１（Ａ）】
2005087079.tif 000003
【図１（Ｂ）】
2005087079.tif 000004
【図１（Ｃ）】
2005087079.tif 000005
【図２】
2005087079.tif 000006
【図３】
2005087079.tif 000007
【図４】
2005087079.tif 000008
【図５】
2005087079.tif 000009
【図６】
2005087079.tif 000010
【手続補正書】
【提出日】平成16年1月8日(2004.1.8)
【手続補正１】
【補正対象書類名】特許請求の範囲
【補正対象項目名】全文
【補正方法】変更
【補正の内容】
【特許請求の範囲】
【請求項１】
果樹栽培における果実着色促進方法であって、果実の軸部付近にあって該果実への光照射を遮り得る複数の葉について、それらの葉柄部を結束用資材を用いて結束することによって、該葉による該果実に対する遮光を減少させ得る状態とすることを特徴とする、果実着色促進方法。
【請求項２】
前記結束用資材は、片面が粘着性を有する帯状の構成であり、該粘着性を有する面を内側にして前記複数の葉を巻いて結束する、粘着性資材であることを特徴とする、請求項１に記載の果実着色促進方法。
【請求項３】
前記結束用資材は、前記粘着性を有する面の反対面が、枝等と接触した場合であってもそれによる該枝等の損傷を防止または軽減できるよう柔軟な材質により形成されていることを特徴とする、請求項２に記載の果実着色促進方法。
【請求項４】
果樹栽培における果実着色促進方法であって、果実の軸部付近にあって該果実への光照射を遮り得る複数の葉について、それらの葉柄部を結束用資材を用いて結束することによって、該葉による該果実に対する遮光を減少させるとともに、該果実とその近傍の枝との間に、該果実との接触によってもそれによる損傷を防止または軽減できるような柔軟な材質をもって形成されている柔軟性資材を一または複数個挟み込んで固定することを特徴とする、果実着色促進方法。
【請求項５】
前記結束用資材は、片面が粘着性を有する帯状の構成であり、前記柔軟性資材は、略直方体形状であって前記枝の表面に接しさせるための面は粘着性を有するものであることを特徴とする、請求項４に記載の果実着色促進方法。
【請求項６】
片面が粘着性で帯状に構成された粘着性資材の使用であって、果樹栽培において果実の軸部付近にあって該果実への光照射を遮り得る複数の葉について、それらの葉柄部を結束することによって、該葉による該果実に対する遮光を減少させることのできる、粘着性資材の使用。
【請求項７】
請求項４または５に記載の果実着色促進方法に用いることのできる、葉柄部結束用資材および果実離間用資材を備えてなる果実着色促進用資材セットであって、
（７−１）該葉柄部結束用資材は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、
（７−２）該果実離間用資材は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個挟み込んで固定することによって、該果実が該枝に擦れて損傷することを防止または軽減できるものであり、
（７−３）該葉柄部結束用資材および該果実離間用資材は、それぞれが一部ずつ剥がしやすい状態で複数個、それぞれの台紙状シート体に設けられて、それぞれ葉柄部結束用資材シート、果実離間用資材シートを形成しており、
（７−４）両シートが、作業者がこれを同時に保持しつつ果実着色促進用の作業をなし得るよう一体に結合されてなる、
ことを特徴とする、果実着色促進用資材セット。
【請求項８】
請求項４または５に記載の果実着色促進方法に用いることのできる、葉柄部結束用資材および果実離間用資材を備えてなる果実着色促進用資材セットであって、
（８−１）該葉柄部結束用資材は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、
（８−２）該果実離間用資材は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個挟み込んで固定することによって、該果実が該枝に擦れて損傷することを防止または軽減できるものであり、
（８−３）該葉柄部結束用資材および該果実離間用資材は、それぞれが一部ずつ剥がしやすい状態で複数個、一枚の前記台紙状シート体上に設けられてなる、
ことを特徴とする、果実着色促進用資材セット。
【手続補正２】
【補正対象書類名】明細書
【補正対象項目名】全文
【補正方法】変更
【補正の内容】
【発明の詳細な説明】
【技術分野】
【０００１】
この発明は、果実着色促進方法、粘着性資材の使用および果実着色促進用資材セットに係り、特にりんご等の果樹栽培において、葉摘みをすることなしに、果実を偏りなく着色促進させることのできる、果実着色促進方法、粘着性資材の使用および果実着色促進用資材セットに関する。
【背景技術】
【０００２】
りんご等の果樹栽培においては、果実に日光の照射を受けることによりその着色が促進するとともに、糖度の増加、果肉のしまりによる硬度の上昇、それによる棚持ち性、貯蔵性の向上、特有の香味と食感の発現がなされる。特に、香味等に勝るとも劣らず商品価値に寄与する着色度合いは重要であり、りんごを例にとれば、その果実全体における偏りのない着色が、商品価値を高めるために要求される。しかし、果実の近傍に存在する葉のため、自然生育に任せると、それらの葉の陰となって日光の照射程度が不良な部分、つまり日陰部分が生じる。日陰部分は良好な着色促進が得られず、その結果、果実には着色の良い部分と良くない部分とが生じることとなり、商品価値が下がってしまう。これを防ぐために、従来からホルモン剤や農薬の使用もなされているが、特に葉摘みといわれる作業が慣行的に行われている。
【０００３】
葉摘みは、果実の軸部付近に存在する葉やその近傍の葉を除去することにより、果実の日陰部分発生を防止する作業である。葉摘みは手作業により行われ、近傍の葉が除去された果実には日光が満遍なく照射され、それによる偏りのない果実の着色促進を図っている。また、より均一な着色を得るために、完全に着色が得られた部分が比較的日陰部分となる方向に向くように果実をねじる、実回しと呼ばれる作業も、従来から行われている。これは、日光照射をよく受ける表面だけが良好に着色した果実は、たとえばりんごの場合、満遍なく良好に着色したものと比べて、商品価値が半分以下となってしまうため、かかる不均一な着色をさけるための作業である。
【０００４】
ところで、かかる慣行栽培における葉摘みや実回しとは別に、りんご等の果樹栽培における果実の着色を促進する方法が種々提案されている。たとえば特開昭５８−８３２５５号公報「果実熟成促進用具」や実開昭５９−１５６４５２号公報「果実の色付け用反射器」では、果実のどの部分にも反射光を照射し得る用具について、実開昭５９−２３９４０号公報「果樹用光反射装置」では下張りするシート状の構成を、それぞれ提案している。また、実開平６−７２３４９号公報「果樹の葉取り装置」では、葉摘み用の装置を提案している。
【０００５】
【特許文献１】特開昭５８−８３２５５号公報「果実熟成促進用具」。
【特許文献２】実開昭５９−１５６４５２号公報「果実の色付け用反射器」。
【特許文献３】実開昭５９−２３９４０号公報「果樹用光反射装置」。
【特許文献４】実開平６−７２３４９号公報「果樹の葉取り装置」。
【発明の開示】
【発明が解決しようとする課題】
【０００６】
しかしながら、これら特許文献１〜４に開示された提案は、いずれも特別の用具や装置をもって、果実の着色促進を図ろうとするものであり、その分相応の経費や準備作業の労が必要となるものである。また特許文献４に示された提案は、結局葉摘みの労力を軽減し得る構成を提案するものであるが、そもそも着色促進のために行う葉摘みそのものが植物体に及ぼす影響を考慮する必要がある。すなわち、植物体の自然な状態といえる葉が付いている状態から、葉を除去することは、生理上、負荷を植物体に与えることになる。特に、翌年の花芽形成に悪影響を及ぼすことが懸念される。なおその点は、ホルモン剤や農薬の使用においても問題となる。したがって、葉摘みをせずに果実の着色促進を図ることができれば、しかもそれを、特別の用具や装置を使用せず、より簡易な方法で行うことができれば、作業も容易であり、果樹栽培の経営上も導入しやすく好ましい。
【０００７】
また、上述した実回しは商品価値低下を防ぐために有意義な作業であるが、単に果実をねじって日陰部分を日向側に向けても、果実の約７０％はその姿勢を長く維持できずに、再び元の位置に戻ってしまう。したがって、着色状況を見ながら、当該作業を繰り返し行うことともなり、作業としては繁雑である。
【０００８】
したがって本発明の課題は、かかる従来技術の問題点を踏まえ、りんご等の果樹栽培において、手作業であるか機械作業であるかに関わらず、葉摘みをすることなしに、また、ホルモン剤や農薬を使用することなしに、きわめて簡易かつ安価な方法により、慣行の葉摘みを用いた栽培同様以上に、果実を偏りなく着色促進させることのできる、果実着色促進方法、粘着性資材の使用および果実着色促進用資材セットを提供することである。
【０００９】
さらに本発明の課題は、かかる果実着色促進方法、粘着性資材の使用および果実着色促進用資材セットによる着色促進効果を補助するために、従来行われてきた実回しを、作業の煩雑さを排し、かつより効果的に行うための方法を提供することである。
【課題を解決するための手段】
【００１０】
本願発明者は上記課題を解決するために鋭意検討し、本発明に至った。すなわち、本願において特許請求される発明は、以下のとおりである。
（１）  果樹栽培における果実着色促進方法であって、果実の軸部付近にあって該果実への光照射を遮り得る複数の葉について、それらの葉柄部を結束用資材を用いて結束することによって、該葉による該果実に対する遮光を減少させ得る状態とすることを特徴とする、果実着色促進方法。
（２）  前記結束用資材は、片面が粘着性を有する帯状の構成であり、該粘着性を有する面を内側にして前記複数の葉を巻いて結束する、粘着性資材であることを特徴とする、（１）に記載の果実着色促進方法。
（３）  前記結束用資材は、前記粘着性を有する面の反対面が、枝等と接触した場合であってもそれによる該枝等の損傷を防止または軽減できるよう柔軟な材質により形成されていることを特徴とする、（２）に記載の果実着色促進方法。
（４）  果樹栽培における果実着色促進方法であって、果実の軸部付近にあって該果実への光照射を遮り得る複数の葉について、それらの葉柄部を結束用資材を用いて結束することによって、該葉による該果実に対する遮光を減少させるとともに、該果実とその近傍の枝との間に、該果実との接触によってもそれによる損傷を防止または軽減できるような柔軟な材質をもって形成されている柔軟性資材を一または複数個挟み込んで固定することを特徴とする、果実着色促進方法。
（５）  前記結束用資材は、片面が粘着性を有する帯状の構成であり、前記柔軟性資材は、略直方体形状であって前記枝の表面に接しさせるための面は粘着性を有するものであることを特徴とする、（４）に記載の果実着色促進方法。
【００１１】
（６）  片面が粘着性で帯状に構成された粘着性資材の使用であって、果樹栽培において果実の軸部付近にあって該果実への光照射を遮り得る複数の葉について、それらの葉柄部を結束することによって、該葉による該果実に対する遮光を減少させることのできる、粘着性資材の使用。
【００１２】
（７）  （４）または（５）に記載の果実着色促進方法に用いることのできる、葉柄部結束用資材および果実離間用資材を備えてなる果実着色促進用資材セットであって、
（７−１）該葉柄部結束用資材は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、
（７−２）該果実離間用資材は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個挟み込んで固定することによって、該果実が該枝に擦れて損傷することを防止または軽減できるものであり、
（７−３）該葉柄部結束用資材および該果実離間用資材は、それぞれが一部ずつ剥がしやすい状態で複数個、それぞれの台紙状シート体に設けられて、それぞれ葉柄部結束用資材シート、果実離間用資材シートを形成しており、
（７−４）両シートが、作業者がこれを同時に保持しつつ果実着色促進用の作業をなし得るよう一体に結合されてなる、
ことを特徴とする、果実着色促進用資材セット。
（８）  （４）または（５）に記載の果実着色促進方法に用いることのできる、葉柄部結束用資材および果実離間用資材を備えてなる果実着色促進用資材セットであって、
（８−１）該葉柄部結束用資材は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、
（８−２）該果実離間用資材は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個挟み込んで固定することによって、該果実が該枝に擦れて損傷することを防止または軽減できるものであり、
（８−３）該葉柄部結束用資材および該果実離間用資材は、それぞれが一部ずつ剥がしやすい状態で複数個、一枚の前記台紙状シート体上に設けられてなる、
ことを特徴とする、果実着色促進用資材セット。
【発明の効果】
【００１３】
本発明の果実着色促進方法、粘着性資材の使用および果実着色促進用資材セットはこのように構成されるため、これを用いることにより果実への採光が良好となり、また均一な日光照射が可能となり、手作業であるか機械作業であるかに関わらず、葉摘みをすることなしに、ホルモン剤や農薬を使用することなしに、きわめて簡易かつ安価な方法によって、慣行の葉摘みを用いた栽培同様以上に、果実を偏りなく着色促進させることができる。
【００１４】
本発明によれば、葉摘みをせずにりんご等の果実の着色促進を行うことができるため、たとえばりんごの場合であれば、下記各効果を得ることができる。
（ａ）果実の糖度を２〜３°増加させることができるため、商品としての付加価値を高めることができる。
（ｂ）果肉がしまり、硬度が高くなり、棚持ち、貯蔵性が高まる。つまり保存性がよくなり、冷蔵による長期出荷体系を拡大することができる。
（ｃ）より自然な生育状態を維持したまま着色し、収穫されるため、果実特有の香りや食感が損なわれず、商品としての付加価値を高めることができる。
（ｄ）人工的な葉摘みによって植物体に与えるストレスを排除できるため、植物体として生理上より望ましい状態が得られ、翌年の花芽形成、ひいては栽培管理、収穫にも好影響を及ぼす。
【００１５】
さらに本発明によれば、従来行われてきた実回し作業の煩雑さを解消することができ、かつ実回しによる着色の均一化をより効果的に実現することができ、商品価値の低下を防ぐことができる。
【発明を実施するための最良の形態】
【００１６】
本発明について図を用いてさらに詳細に説明する。
図１（Ａ）〜（Ｃ）は、本発明の果実着色促進方法の構成を示す説明図である。図において本発明の果樹栽培における果実着色促進方法は、果実１の軸部２付近にあって該果実１への光の照射Ｌを遮り得る複数の葉８について（図１（Ａ））、それら葉８の葉柄部９を、結束用資材４を用いて結束する（図１（Ｂ））ことによって、該葉８による該果実１に対する遮光を減少させ得る状態（図１（Ｃ））とすることを、基本構成とする。
【００１７】
図において本果実着色促進方法はかかる構成をとるため、果実１の軸部２付近にあって該果実１への光の照射Ｌを遮り得る複数の葉８は、それら葉８の葉柄部９が結束用資材４によって結束され、該葉８による該果実１に対する遮光を減少させ得る状態とさせられる。図１（Ａ）の状態と（Ｂ）または（Ｃ）の状態を比較すれば明らかなとおり、該結束用資材４によって該果実１上方に該葉８が束ねられて、該果実１上方には、光照射Ｌが該果実１により多く広く到達するための空間が広げられ、すなわち遮光状態が解消されるため、該果実１にはより多く光照射がなされ、その着色が促進される。
【００１８】
該葉柄部９の結束に用いる結束用資材４としては、少なくとも果実の着色促進を図るべき時期から着色が充分に得られる時期に至る間の継続的な結束の維持が可能なものであれば、あらゆる資材を用いることができる。たとえば、片面が粘着性を有するテープ状のものや帯状のもの、塑性を有する金属線を樹脂等により被覆した資材などを、好適に用いることができる。特に、片面が粘着性を有する帯状のものは、本発明用途に充分な結束性と取り扱いの容易さを有し、本発明方法の使用に特に適している。
【００１９】
前記結束用資材４によって前記葉柄部９を結束する際の位置は、該結束用資材４によって該葉柄部９を緊縛する際の該結束用資材４にかかる負荷ができるだけ少なく、かつ結束作業を行いやすい位置とすることが望ましい。したがって、どちらかというと該葉柄部９の軸部２寄りではなく、むしろ葉８に近い側を結束位置とすれば、より容易に結束を行えるといえる。しかし、本発明がかかる結束位置の如何によって限定されるものではない。
【００２０】
前記結束用資材４をりんご等の果樹に用いる場合、その長さはおおむね３〜１０ｃｍとすることができるが、望ましくは４〜８ｃｍとすることができる。この程度の長さによって、本発明による葉柄部９の結束を好適に行うことが充分にできる。より望ましくは５〜７ｃｍとすることができ、この程度の長さによって、本発明による葉柄部９の結束をさらに好適に行うことができる。なおこの点は、以下に述べる各結束用資材の構成においても同様である。
【００２１】
図２は、本発明の果実着色促進方法に用いることのできる結束用資材の例について、その構成を示す断面図である。図の（Ａ）において前記結束用資材４Ａは、片面が粘着性を有する帯状の構成であり、すなわち片面側に粘着材部４３が設けられてあり、該粘着材部４３を内側にして前記複数の葉８の葉柄部９を巻いてこれを結束することのできる構成である。かかる結束用資材４Ａを用いて、図１により先に説明した果実着色促進方法を実施することができる。つまり、本結束用資材４Ａの該粘着材部４３を内側にして、複数の葉８の葉柄部９を束ねてその上から該結束用資材４Ａを巻いて、該粘着材部４３を該結束用資材４Ａ自身の表側に貼り付けて接着固定し、該葉柄部９を結束する。
【００２２】
図の（Ｂ）において結束用資材４Ｂは、前記粘着性を有する面（粘着材部４３が設けられている）の反対面が、枝等と接触した場合であってもそれによる該枝等の損傷を防止または軽減できるよう柔軟な材質により形成されている、すなわち柔軟材部４６が該粘着材部４３の反対側に設けられている構成である。かかる結束用資材４Ｂを用いて、図１により先に説明した果実着色促進方法を実施することができる。つまり、本結束用資材４Ｂの該粘着材部４３を内側にして、複数の葉８の葉柄部９を束ねてその上から該結束用資材４Ｂを巻いて、該粘着材部４３を該結束用資材４Ａ自身の表側である該柔軟材部４６に貼り付けて接着固定し、該葉柄部９を結束する。該柔軟材部４６が結束に用いられた該結束用資材４Ｂの表側にあるため、本結束用資材４Ｂが枝等と接触した場合であっても、それによる該枝等の損傷は防止されるか、または軽減される。なお、図の（Ａ）において、前記結束用資材４Ａの表側部４１を、（Ｂ）の柔軟材部４６と同様の機能を有する材料により構成することもできる。柔軟材部の材料としては、たとえばスポンジなど弾力性のある部材、各種素材による布などの柔軟な部材を、適宜用いることができる。
【００２３】
図３は、本発明の果実着色促進方法について、別の構成を付加した例を説明する説明図である。図において、果樹栽培における本発明果実着色促進方法は、果実１の軸部２付近にあって該果実１への光照射Ｌを遮り得る複数の葉８について、それらの葉柄部９を結束用資材１４を用いて結束することによって、該葉８による該果実１に対する遮光を減少させるとともに、該果実１とその近傍の枝３との間に、該果実１との接触によってもそれによる損傷を防止または軽減できるような柔軟な材質をもって形成されている柔軟性資材６を、一または複数個（通常は一個で足りる。図では一個。）挟み込んで固定することを特徴とする。
【００２４】
図において示されるように、本方法はかかる構成をとることによって、先に図１を用いて説明した作用に加え、該果実１と該枝３の間に挟み込まれた柔軟性資材６によって、先に述べた実回しの際に、均一な着色促進のためにねじり回した果実１の姿勢を固定し、これがねじられる前の姿勢に戻ることが防がれ、それにより該果実１の日陰部分の着色促進が良好になされ、着色の均一化が図られる。該柔軟性資材６の挟み込みにより姿勢が固定された果実１は容易には戻らないので、実回し作業を繰り返す煩雑さを解消することができる。また、これに加え、該果実１が該枝３に擦れて損傷することが防止される、または軽減される。
【００２５】
図３において前記結束用資材１４は、片面が粘着性を有する帯状の構成とし、前記柔軟性資材６は、略直方体形状であって、前記枝３の表面に接しさせるための面は粘着性を有するように構成することができる。該柔軟性資材６としては、前記果実１を損傷することのないような柔軟な表面を有する材質であるとともに、果実１と枝３との間に生じるねじれからの復元力によって上記姿勢の維持が不可能となるような塑性変形、弾性変形を起こさない材質のものであれば、特に限定されず適宜用いることができる。たとえば発泡スチロール等の発泡性材料を用いることができる。スポンジのような材料でも、上記条件を満たせば用いることができる。
【００２６】
以上の説明および図２ならびに図１において示したように、片面が粘着性で帯状に構成された粘着性資材４Ａ、４Ｂを使用することにより、果樹栽培において果実１の軸部２付近にあって該果実１への光照射Ｌを遮り得る複数の葉８の葉柄部９を結束して、該葉８による該果実１に対する遮光を減少させることができ、これにより果実の着色促進を、従来の葉摘み作業をすることなしに、それと同等以上の効果をもって行うことができる。
【００２７】
図４は、本発明に係る粘着性資材の構成例を示す平面図である。図において本資材２４は、これまで説明した葉柄部の結束に用いることのできる粘着性資材２４であって、該粘着性資材２４は該結束に充分なサイズのシール状体２４１が、一部ずつ剥がしやすい状態で台紙状シート体２４２に複数設けられている構成をとる。図の例では、複数の該シール状体２４１は長手方向に二段に形成されているが、これ以外の適宜の配列をとれることはいうまでもない。該台紙状シート体２４２としては、該シール状体２４１を剥離しやすいような材質のものを用いることが望ましい。結束に際しては、該シール状体２４１となっている粘着性資材を該台紙状シート体２４２から一部ずつ剥がし取って、前記葉柄部の結束に供する。
【００２８】
図５は、本発明の果実着色促進用資材セットを構成する果実離間用資材を斜視図および平面図により説明した説明図である。本図と図４を用いて、発明を説明する。これらの図において本果実着色促進用資材セットは、先に説明した果実着色促進方法に用いることのできる、葉柄部結束用資材２４１および果実離間用資材２６１を備えてなる果実着色促進用資材セットである。図４において示されるように、該葉柄部結束用資材２４１は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものである。一方、図５に示されるように該果実離間用資材２６１は、該果実とその近傍の枝との間に、該果実との接触によってもそれによる損傷を防止または軽減できるような柔軟な材質をもって略直方体形状に形成されており、該枝の表面に接しさせるための面は粘着性を有するものとし、これを一または複数個（通常は一個で足りる。）挟み込んで固定することによって、該果実が該枝に擦れて損傷することを防止または軽減できるものである。
【００２９】
前記果実離間用資材２６１は、その形状をたとえば、一辺が約２ｃｍの立方体とすることができる。また材質としてはたとえば、発泡スチロールなどの発泡性材料を適宜用いることができる。
【００３０】
図４に示した該葉柄部結束用資材２４１、および図５に示した該果実離間用資材２６１は、それぞれが一部ずつ剥がしやすい状態で複数個、それぞれの台紙状シート体２４２、２６２に設けられていて、それぞれ葉柄部結束用資材シート（２４）、果実離間用資材シート２６を形成する。そしてこれら両シート２４、２６は、作業者がこれを同時に保持しつつ果実着色促進用の作業をなし得るよう一体に結合されてなることを、本発明果実着色促進用資材セットは主たる構成とする。かかる構成により、本果実着色促進用資材セットを用いれば、上述した葉の葉柄部の結束による果実の着色促進のための葉柄部結束作業と、実回しにおける果実の姿勢の固定作業を同時に、かつ容易に行うことができる。
【００３１】
両シート２４、２６を一体に結合させる方法は、これらシートの一辺同士が綴じられる形状としたり、あるいは一角同士が綴じられる状態としたり、適宜の公知の方法を選択して行うことができる。
【００３２】
図６は、本発明の別の果実着色促進用資材セットの構成例を示す断面図である。図において本果実着色促進用資材セット５は、葉柄部結束用資材５４および果実離間用資材５６をそれぞれ複数個備えてなり、該葉柄部結束用資材５４は、片面が粘着性を有する帯状のシール状体であり、該粘着性を有する面の反対面は枝等と接触した場合であってもそれによる該枝等の損傷を防止または軽減できるよう柔軟な材質により形成されており、該粘着性を有する面を内側にして前記複数の葉を巻いて結束するものであり、一方、該果実離間用資材５６は、該果実とその近傍の枝との間に、該果実との接触によってもそれによる損傷を防止または軽減できるような柔軟な材質をもって略直方体形状または略立方体形状に形成されており、該枝の表面に接しさせるための面は粘着性を有するものとし、これを一または複数個挟み込んで固定することによって、該果実が該枝に擦れて損傷することを防止または軽減できるものであり、これら該葉柄部結束用資材５４および該果実離間用資材５６は、それぞれが一部ずつ剥がしやすい状態で複数個、一枚の前記台紙状シート体５１上に設けられてなることを、主たる構成とする。
【００３３】
つまり、一枚の台紙状シート体５１の裏表にそれぞれ該葉柄部結束用資材５４および該果実離間用資材５６が設けられた構成である。かかる構成により、本果実着色促進用資材セットを用いれば、単一の台紙の表裏に各資材５４、５６が設けられているため取り扱いしやすく、上述した葉の葉柄部の結束による果実の着色促進のための葉柄部結束作業と、実回しにおける果実の姿勢の固定作業を同時に、かつ一層容易に行うことができる。
【００３４】
図では、一枚の台紙状シート体５１の表裏に各資材５４、５６が設けられる構成例を示したが、この他、一枚の台紙状シート体５１の同一面に各資材５４、５６がともに設けられる構成とすることもできる。
【産業上の利用可能性】
【００３５】
本発明の果実着色促進方法、粘着性資材の使用および果実着色促進用資材セットは上述のように構成されるため、これを用いることにより果実への採光が良好となり、また均一な日光照射が可能となり、手作業であるか機械作業であるかに関わらず、葉摘みをすることなしに、ホルモン剤や農薬を使用することなしに、きわめて簡易かつ安価な方法によって、慣行の葉摘みを用いた栽培同様以上に、果実を偏りなく着色促進させ、商品価値を高めることができる上、翌年の栽培にも好影響を与えることができる。
【００３６】
また本発明によれば、従来行われてきた実回し作業の煩雑さを解消することができ、かつ実回しによる着色の均一化をより効果的に実現することができ、商品価値を高めることができる。したがって本発明は、産業上の利用性を大いに有する発明である。
【図面の簡単な説明】
【００３７】
【図１（Ａ）】本発明の果実着色促進方法の構成を示す説明図である。
【図１（Ｂ）】本発明の果実着色促進方法の構成を示す説明図である。
【図１（Ｃ）】本発明の果実着色促進方法の構成を示す説明図である。
【図２】本発明の果実着色促進方法に用いることのできる結束用資材の例について、その構成を示す断面図である。
【図３】本発明の果実着色促進方法について、別の構成を付加した例を説明する説明図である。
【図４】本発明に係る粘着性資材の構成例を示す平面図である。
【図５】本発明の果実着色促進用資材セットを構成する果実離間用資材を斜視図および平面図により説明した説明図である。
【図６】本発明の別の果実着色促進用資材セット構成例を示す断面図である。
【符号の説明】
【００３８】
１…果実、  ２…軸部、  ３…枝、  ４、４Ａ、４Ｂ、１４…結束用資材、  
４１…表側部、  ４３…粘着材部、  ４６…柔軟材部、  ５…果実着色促進用資材セット、  ５１…台紙状シート体、  ５４…葉柄部結束用資材、  ５６…果実離間用資材、  ６…柔軟性資材、  ８…葉、  ９…葉柄部、  ２４…粘着性資材（葉柄部結束用資材シート）、  ２４１…シール状体、  ２４２…台紙状シート体、  ２６…果実離間用資材シート、  ２６１…果実離間用資材、  ２６２…台紙状シート体、  Ｌ…光の照射